(57)【特許請求の範囲】
【請求項１】
左右両側に配置されていて、下端部に車輪を有する主支持脚と、
左右両側に配置されていて、一端部が前記主支持脚の中央より上寄部に固定されている支柱材と、
左右両側に配置されていて、下端部に車輪を有し、上端部が前記支柱材の他端部に回動される回動機構部が形成されている副支持脚と、
左右両側に配置されていて、中央より後寄部が前記主支持脚の中央より上寄部と中央部の間部に回動される回動機構部が形成されている主支持枠と、
左右両側に配置されていて、一端部が前記主支持枠の中央より後寄部と後端部との間部に回動される回動機構部が形成されていて、他端部が前記副支持脚の中央より上寄部に回動される回動機構部が形成されている主支柱部材と、
右端部が右側に配置されている前記主支持枠に固定されていて、左端部が左側に配置されている前記主支持枠に固定されている主支持棚と、
左右両側に配置されていて、後端部が前記副支持脚の中央より下寄部に回動される回動機構部が形成されている副支持枠と、
左右両側に配置されていて、一端部が前記主支持脚の中央より下寄部に回動される回動機構部が形成されていて、他端部が前記副支持枠の中央より後寄部に回動される回動機構部が形成されている副支柱部材と、
右端部が右側に配置されている前記副支持枠に固定されていて、左端部が左側に配置されている前記副支持枠に固定されている副支持棚と、
一端部が右側に配置されている前記主支持脚の上端部に固定されていて、他端部が左側に配置されている前記主支持脚の上端部に固定されている取手と、
を備える前記副支持脚を前記主支持脚方向に寄せられると前記主支持棚と前記副支持棚も寄せられて一体と成しえられる折り畳み式買物カートであって、
前記主支持棚は、
上面に対して、面板が形成されており、
上面の後左寄部に対して、シャフトが形成されており、
前記面板は、
上面に対して、摺動部材が形成されており、
左面の後寄部に対して、ブッシュが形成されており、
前記シャフトに対して、回動される回動機構部が形成されている、
ことを特徴とする折り畳み式買物カート。
【請求項２】
前記面板は、
上面に対して、折り畳み式収納籠が形成されており、
前記折り畳み式収納籠は、
前記面板の上面に対して、固定されている下ブラケット及び下連結棒が形成されており、
前記面板の上方面に対して、可動されている上ブラケット及び上連結棒が形成されており、
前記下ブラケットの四隅部に対して、一端部が回動させる回動機構部が形成されているリンクが形成されており、
前記上ブラケットの四隅部に対して、一端部が回動させる回動機構部が形成されている前記リンクが形成されており、
前記リンクの他端部に対して、他端部が回動させる回動機構部が形成されている中連結棒が形成されており、
前記上ブラケットと前記下ブラケットの間に対して、覆われるカバーが形成されており、
前記上ブラケット及び前記上連結棒が前記下ブラケット及び前記下連結棒方向に寄せられることによって、前記リンクを介して前記中連結棒が内側へ寄せられて折り畳まられて一体と成しえられる、
ことを特徴とする請求項１に記載の折り畳み式買物カート。
【請求項３】
前記折り畳み式収納籠は、
前記主支持棚と脱着させることができる
ことを特徴とする請求項２に記載の折り畳み式買物カート。
【発明の詳細な説明】
【技術分野】
【０００１】
本発明は、使用しない時に折り畳んで移動することができる買物カート、特に高齢者や女性等の買い物にかかる負担を軽減させるための折り畳み式買物カートに関する。
【背景技術】
【０００２】
今日、スーパーマーケット等で買い物をした時、一般的に買い物客は店内に置かれている買物カゴを使用し、購入する量が多い場合時など買物カートを併用することが多い。そして、レジで精算した後、買い物客はエコバック等に入れ替え、場合によっては、再び買物カートを使用して店外に出るという方法が採られている。しかし、買い物客は、荷物の詰め替えだけでなく、買物カゴを買物カートからレジ台等に移動する時、荷物の入った買物カゴを持ち上げて移乗しなければならない。このため買い物客は、不要な時間と労力を費やすだけでなく、特に高齢者や女性等にとって大きな負担となっている。
【０００３】
従来のこの種の折り畳み式買物カートとして、買物カゴを買物カートのかご台とレジ台との移乗を容易にするものとして、特許文献１に開示されたものがある。特許文献１は、カートのかご台の高さをレジ台の高さと同じにしているため、買い物カゴを容易に移乗することができ、折り畳んだ際に二輪で引っ張って移動することができる折り畳み式買物カートである。
【０００４】
また、買物カゴをカートのかご台とレジ台との移乗を容易にするものとして、特許文献２に開示されたものがある。特許文献２は、子カートに車輪が取り付けられているため大きな負担を必要とせず、特に高齢者や女性等が大きな負担をかけることなく容易に買物カゴを移動させることができる折り畳み式買物カートである。
【先行技術文献】
【特許文献】
【０００５】
【特許文献１】実用新案登録第３１７２４４３号
【特許文献２】特開２００４−２９９４９４号公報
【発明の概要】
【発明が解決しようとする課題】
【０００６】
しかしながら、特許文献１は買物カゴが重い時、かご台やレジ台との摩擦により大きな負担を必要とし、また場合によって買物カゴが横方向にずれて買物カートからズレ落ちるという問題がある。特許文献２は、子カートを必要としているため、子カートの大きさに対して買物カゴが合わない場合、買物カゴを安定して移乗することができない。また、あやまって子カートを落として壊したりするという問題がある。
【０００７】
そこで、本発明は買い物客が買物カゴを持ち上げて移乗する必要がないだけでなく、大きな負担をかけることなく買物カゴを移乗することができる折り畳み式買物カートを提供することを目的とする。
【課題を解決するための手段】
【０００８】
上記目的を達成するために、本発明に係る折り畳み式買物カートは、左右両側に配置されていて、下端部に車輪を有する主支持脚と、左右両側に配置されていて、一端部が前記主支持脚の中央より上寄部に固定されている支柱材と、左右両側に配置されていて、下端部に車輪を有し、上端部が前記支柱材の他端部に回動される回動機構部が形成されている副支持脚と、左右両側に配置されていて、中央より後寄部が前記主支持脚の中央より上寄部と中央部の間部に回動される回動機構部が形成されている主支持枠と、左右両側に配置されていて、一端部が前記主支持枠の中央より後寄部と後端部との間部に回動される回動機構部が形成されていて、他端部が前記副支持脚の中央より上寄部に回動される回動機構部が形成されている主支柱部材と、右端部が右側に配置されている前記主支持枠に固定されていて、左端部が左側に配置されている前記主支持枠に固定されている主支持棚と、左右両側に配置されていて、後端部が前記副支持脚の中央より下寄部に回動される回動機構部が形成されている副支持枠と、左右両側に配置されていて、一端部が前記主支持脚の中央より下寄部に回動される回動機構部が形成されていて、他端部が前記副支持枠の中央より後寄部に回動される回動機構部が形成されている副支柱部材と、右端部が右側に配置されている前記副支持枠に固定されていて、左端部が左側に配置されている前記副支持枠に固定されている副支持棚と、一端部が右側に配置されている前記主支持脚の上端部に固定されていて、他端部が左側に配置されている前記主支持脚の上端部に固定されている取手と、を備える前記副支持脚を前記主支持脚方向に寄せられると前記主支持棚と前記副支持棚も寄せられて一体と成しえられる折り畳み式買物カートであって、前記主支持棚は、上面に対して、面板が形成されており、前記面板は、上面に対して、摺動部材が形成されている、ことを特徴とする。
【０００９】
これによって、買い物客は、買物カゴを容易にレジ台に移乗することができる。また、買物カートの面板の上面に摺動部材があるので、大きな負担をかけることなく買物カゴを移乗することができる。
【００１０】
ここで、左右両側に配置されていて、下端部に車輪を有する主支持脚と、左右両側に配置されていて、一端部が前記主支持脚の中央より上寄部に固定されている支柱材と、左右両側に配置されていて、下端部に車輪を有し、上端部が前記支柱材の他端部に回動される回動機構部が形成されている副支持脚と、左右両側に配置されていて、中央より後寄部が前記主支持脚の中央より上寄部と中央部の間部に回動される回動機構部が形成されている主支持枠と、左右両側に配置されていて、一端部が前記主支持枠の中央より後寄部と後端部との間部に回動される回動機構部が形成されていて、他端部が前記副支持脚の中央より上寄部に回動される回動機構部が形成されている主支柱部材と、右端部が右側に配置されている前記主支持枠に固定されていて、左端部が左側に配置されている前記主支持枠に固定されている主支持棚と、左右両側に配置されていて、後端部が前記副支持脚の中央より下寄部に回動される回動機構部が形成されている副支持枠と、左右両側に配置されていて、一端部が前記主支持脚の中央より下寄部に回動される回動機構部が形成されていて、他端部が前記副支持枠の中央より後寄部に回動される回動機構部が形成されている副支柱部材と、右端部が右側に配置されている前記副支持枠に固定されていて、左端部が左側に配置されている前記副支持枠に固定されている副支持棚と、一端部が右側に配置されている前記主支持脚の上端部に固定されていて、他端部が左側に配置されている前記主支持脚の上端部に固定されている取手と、を備える前記副支持脚を前記主支持脚方向に寄せられると前記主支持棚と前記副支持棚も寄せられて一体と成しえられる折り畳み式買物カートであって、前記主支持棚は、上面に対して、面板が形成されており、上面の後左寄部に対して、シャフトが形成されており、前記面板は、上面に対して、摺動部材が形成されており、左面の後寄部に対して、ブッシュが形成されており、前記シャフトに対して、回動される回動機構部が形成されている、ことを特徴とする折り畳み式買物カート、とするのが好ましい。
【００１１】
これによって、面板が回動されることにより、買物カゴを持ち上げたり引きずったりせずに、買物カゴだけでなくレジ台等がキズつかない、という効果が発揮される。
【００１２】
前記面板は、上面に対して、折り畳み式収納籠が形成されており、前記折り畳み式収納籠は、前記面板の上面に対して、固定されている下ブラケット及び下連結棒が形成されており、前記面板の上方面に対して、可動されている上ブラケット及び上連結棒が形成されており、前記下ブラケットの四隅部に対して、一端部が回動させる回動機構部が形成されているリンクが形成されており、前記上ブラケットの四隅部に対して、一端部が回動させる回動機構部が形成されている前記リンクが形成されており、前記リンクの他端部に対して、他端部が回動させる回動機構部が形成されている中連結棒が形成されており、前記上ブラケットと前記下ブラケットの間に対して、覆われるカバーが形成されており、前記上ブラケット及び前記上連結棒が前記下ブラケット及び前記下連結棒方向に寄せられることによって、前記リンクを介して前記中連結棒が内側へ寄せられて折り畳まられて一体と成しえられる、ことを特徴とする請求項１に記載の折り畳み式買物カート、とするのが好ましい。
【００１３】
これによって、レジで精算した後、買い物客は荷物をエコバック等に入れ替える必要がないので、不要な時間と労力を費やさないことができる。
【００１４】
前記折り畳み式収納籠は、前記主支持棚と脱着させることができることを特徴とする請求項２に記載の折り畳み式買物カート、とするのが好ましい。
【００１５】
これによって、買い物客は荷物を買物カートからエコバック等に入れ替えることなく、折り畳み式収納籠を脱着して使用することができるので、不要な時間と労力を費やさないことができる。
【発明の効果】
【００１６】
以上の説明から明らかなように、本発明に係る折り畳み式買物カートは、買い物客が買物カゴを持ち上げて移乗する必要がないだけでなく、大きな負担をかけることなく買物カゴを移乗することができる、という効果が得られる。
【図面の簡単な説明】
【００１７】
【図１】本発明の実施形態に係る折り畳み式買物カートの斜視図
【図２】本発明の実施形態に係る折り畳み式買物カートの正面図
【図３】本発明の実施形態に係る折り畳み式買物カートの右側面図
【図４】本発明の実施形態に係る折り畳み式買物カートの平面図
【図５】本発明の実施形態に係る折り畳み式買物カートの右側断面図
【図６】本発明の実施形態に係る折り畳み式買物カートの折り畳み式収納籠と使用例を示す説明図１
【図７】本発明の実施形態に係る折り畳み式買物カートの折り畳み式収納籠と使用例を示す説明図２
【図８】本発明の実施形態に係る折り畳み式買物カートの折り畳み式収納籠と使用例を示す説明図３
【図９】本発明の実施形態に係る折り畳み式買物カートと使用例を示す説明図１
【図１０】本発明の実施形態に係る折り畳み式買物カートと使用例を示す説明図２
【図１１】本発明の実施形態に係る折り畳み式買物カートと使用例を示す説明図３
【図１２】本発明の実施形態に係る折り畳み式買物カートと使用例を示す説明図４
【図１３】本発明の実施形態に係る折り畳み式買物カートと使用例を示す説明図５
【図１４】本発明の実施形態に係る折り畳み式買物カートと使用例を示す説明図６
【図１５】本発明の実施形態に係る折り畳み式買物カートと使用例を示す説明図７
【図１６】本発明の実施形態に係る折り畳み式買物カートと使用例を示す説明図８
【発明を実施するための形態】
【００１８】
以下に、本発明の実施形態について、図面を参照しながら説明する。図１は本発明の実施形態に係る折り畳み式買物カートの斜視図を示す。なお、取手１０の方を後面・後寄部とし取手１０の逆の方を前面・前寄部とする。
【００１９】
折り畳み式買物カートは、左右両側に配置されていて、下端部に車輪１１を有する主支持脚１と、左右両側に配置されていて、一端部が主支持脚１の中央より上寄部に固定されている支柱材３と、左右両側に配置されていて、下端部に車輪１１を有し、上端部が支柱材３の他端部に回動される回動機構部が形成されている副支持脚２と、左右両側に配置されていて、中央より後寄部が主支持脚１の中央より上寄部と中央部の間部に回動される回動機構部が形成されている主支持枠４と、左右両側に配置されていて一端部が主支持枠４の中央より後寄部と後端部との間部に回動される回動機構部が形成されていて、他端部が副支持脚２の中央より上寄部に回動される回動機構部が形成されている主支柱部材５と、右端部が右側に配置されている主支持枠４に固定されていて、左端部が左側に配置されている主支持枠４に固定されている主支持棚６と、左右両側に配置されていて、後端部が副支持脚２の中央より下寄部に回動される回動機構部が形成されている副支持枠７と、左右両側に配置されていて、一端部が主支持脚１の中央より下寄部に回動される回動機構部が形成されていて、他端部が副支持枠７の中央より後寄部に回動される回動機構部が形成されている副支柱部材８と、右端部が右側に配置されている副支持枠７に固定されていて、左端部が左側に配置されている副支持枠７に固定されている副支持棚９と、一端部が右側に配置されている主支持脚１の上端部に固定されていて、他端部が左側に配置されている主支持脚１の上端部に固定されている取手１０と、を備える副支持脚２を主支持脚１方向に寄せられると主支持棚６と副支持棚９も寄せられて一体と成しえられる折り畳み式買物カートであって、主支持棚６は、上面に対して面板２１が形成されており、面板２１は、上面に対して摺動部材２２が形成されている。
【００２０】
主支持脚１は、折り畳み式買物カートの基盤として左右に配置されている。左右の主支持脚１の上端部には後述する取手１０、下端部には後述する車輪１１が形成されており、強度・形状等が形成されている。また、図示されていないが、左右の主支持脚１の下寄部にリブ等で結合して補強するのも良い。
【００２１】
形状は隅角がない丸パイプが望ましいが、角パイプや丸棒等などでも良い。材質は強度がある鉄製が望ましいが、錆に強いステンレスやアルミ等の金属や軽くて十分な強度を持つプラスチックや樹脂等でも良い。
【００２２】
副支持脚２は、主支持脚１と共に折り畳み式買物カートの基盤として左右に配置されている。左右の副支持脚２の上端部には後述する支柱材３を介して主支持脚１と結合し、下端部には後述する車輪１１が形成されており、強度・形状等が形成されている。また、図示されていないが、左右の副支持脚２の下寄部にリブ等で結合して補強するのも良い。
【００２３】
副支持脚２の上端部は、後述する支柱材３の他端部に回動される回動機構部が形成されている。これによって副支持脚２は、上端部を中心に回動可能になり副支持脚２の下端部と主支持脚１の下端部が寄せられて一体となって折り畳むことができる。また、この動きに連動して、後述する主支持枠４の前端部と副支持枠７の前端部が主支持脚１の上端部に寄せられて、一体となって折り畳むことができる。
【００２４】
形状は隅角がない丸パイプが望ましいが、角パイプや丸棒等などでも良い。材質は強度がある鉄製が望ましいが、錆に強いステンレスやアルミ等の金属や軽くて十分な強度を持つプラスチックや樹脂等でも良い。
【００２５】
支柱材３は、主支持脚１と副支持脚２を結合して折り畳み買物カートの展開時の角度や形状等を形成する。支持材３の一端部は、主支持脚１の中央より上寄部に一定の角度で固定されている。この角度によって折り畳み式買物カートの大きさ、特に前後方向の長さや高さに影響を及ぼす。支持材３の他端部は、前述した副支持脚２の上端部に回動される回動機構部が形成されており、折り畳みを可能にしている。
【００２６】
このため支柱材３の目的は、主支持脚１と副支持脚２が寄せられて折り畳むのを補助するためのものである。だから、支持材３がなくても主支持脚１と副支持脚２を折り畳む構造であれば良い。例えば、副支持脚２の上端部と主支持脚１の中間部に回動される回動機構部が形成されており、副支持脚２が２分割して伸縮できる構造等でも良い。そのため、形状や材質等は、折り畳むための機能を有し強度が確保されていれば良い。
【００２７】
主支持枠４は、左右に配置されており後述する主支持棚６と結合している。そして、主支持脚１と連動して折り畳み式買い物カートを折り畳む機能を有する。よって主支持枠４を廃止して直接、主支持脚１に後述する主支柱部材５を回動される回動機構部を有しても良い。だから、形状は平板に限らず主支持棚６を左右から結合できれば良い。材質は金属に限らず強度があれば軽い樹脂やプラスチック等でも良い。
【００２８】
主支柱部材５は、折り畳み式買物カートを折り畳む時、主支持脚１が主支持枠４に寄せられて一体となるのを補助するための機能を有する。よって両端部とも回動される回動機構部を有すれば良い。また、当該機能を有すれば、主支柱部材５を廃止する、又は複数の組み合わせによるリンク機構にしても良い。形状は平板に限らずブロックやパイプ等でも良い。材質は金属に限らず強度があれば軽い樹脂やプラスチック等でも良い。
【００２９】
主支持棚６は、上面に形成されている後述する面板２１を介して買物カゴ等を保持するだけでなく、左右に結合された主支持枠４と共に主支持脚１に寄せられて折り畳み式買物カートを折り畳む機能を有する。よって、形状は平板が望ましいが、デザイン等を重視して円形等でも良い。材質は金属に限らず軽くて丈夫な樹脂やプラスチック、木材等でも良い。
【００３０】
副支持枠７は、左右に配置されており後述する副支持棚９と結合している。そして、折り畳み式買い物カートが折り畳まれる時、連動して主支持脚１に寄せられて一体となる機能を有する。よって副支持枠７を廃止して直接、主支持脚１や後述する副支柱部材８と回動される回動機構部を有しても良い。形状は平板に限らず副支持棚９を左右から結合できれば良い。材質は金属に限らず強度があれば軽い樹脂やプラスチック等でも良い。
【００３１】
副支柱部材８は、折り畳み式買物カートを折り畳む時、主支持脚１が副支持枠７に寄せられて一体となるのを補助するための機能を有する。よって両端とも回動される回動機構部を有すれば良い。また、当該機能を有すれば、副支柱部材８を廃止する、又は複数の組み合わせによるリンク機構としても良い。形状は平板に限らずブロックやパイプ等でも良い。材質は金属に限らず強度があれば軽い樹脂やプラスチック等でも良い。
【００３２】
副支持棚９は、予備の買物カゴ等を保持するだけでなく、折り畳み式買い物カートの下寄部を補強して折り畳む時のバランスをとる機能を有する。よって、主支持枠４等で十分な強度が確保されていれば廃止しても良い。形状は平板が望ましいが、デザイン等を重視して円形等でも良い。材質は金属に限らず軽くて丈夫な樹脂やプラスチック、木材等でも良い。
【００３３】
取手１０は、左右に配置されている主支持脚１の上端部に結合されていて買い物客が持つ部分を形成されているだけでなく、折り畳み式買い物カートの上寄部を補強する機能を有する。よって、形状は買い物客が持ちやすく肌触りが良いように丸みのあるパイプ形状等が望ましい。材質は、金属だけでなく軽く強度がある樹脂やプラスチック等が良い。
【００３４】
車輪１１は、折り畳み式買物カートを移動するのを容易にする機能を有する。車輪１０は摺動する機能を有すれば規格品や標準品等で良い。
【００３５】
面板２１は、買物カゴ等を保持するだけでなく、上面に対して後述する摺動部材２２が形成されており買物カゴ等を容易に移乗する機能を有する。面板２１は、買物カゴを折り畳み式買物カートに載せた時、買物カゴが落ちないように保持するために面板２１の上面にガイド等が形成されているのが望ましい。
【００３６】
摺動部材２２は、買物カゴを一方向だけでなく全方向に大きな負担をかけることなく移乗することを容易にする機能を有する。摺動部材２２は摺動する機能を有すれば規格品や標準品等で良い。
【００３７】
折り畳み式収納籠５０は、面板２１の上面に対して、固定されている下ブラケット５１及び下連結棒５６が形成されており、面板２１の上方面に対して、可動される上ブラケット５２及び上連結棒５７が形成されており、下ブラケット５１の四隅部に対して、一端部が回動させる回動機構部が形成されているリンク５３が形成されており、上ブラケット５２の四隅部に対して、一端部が回動させる回動機構部が形成されているリンク５３が形成されており、リンク５３の他端部に対して、他端部が回動させる回動機構部が形成されている中連結棒５８が形成されており、上ブラケット５２と下ブラケット５１の間に対して、覆われるカバー５５が形成されており、上ブラケット５２及び上連結棒５７が下ブラケット５１及び下連結棒５６方向に寄せられることによって、リンク５３を介して中連結棒５８が内側へ寄せられて折り畳まられて一体と成しえられる。
【００３８】
折り畳み式収納籠５０は、上連結棒５６又は上ブラケット５２を面板２１側へ押し下げることによって、リンク５３を介して中連結棒５７が内側へ移動する（図７参照）。そして、完全に押し下げることによって、折り畳み式収納籠５０は、折り畳んだ状態で面板２１の上面より下側に収納されており面板２１上に買物カゴ等が置かれている時、又は買物カゴを移乗する時に干渉しないように機能している（図８参照）。そして、買い物客がレジで精算した後に折り畳み式収納籠５０を展開して、商品等を収納する機能を有する(図６参照)。なお、図６・７・８は、折り畳み式収納籠の構造を理解するためにカバー５５は省略されている。
【００３９】
面板２１を回動させる回動機構部は、面板２１の左面の後寄部に対して形成されているブッシュ３２と、主支持棚６の上面の後左寄部に対して形成されているシャフト３１で形成されている。これによって、面板２１を介して買物カゴ等を回動させて折り畳み式買物カートからレジ台等に大きな負担をかけることなく移乗させることができる。また、展開した折り畳み式収納籠５０も同様に回動させてレジ台等から折り畳み式買物カートに移乗することができる。
【００４０】
次に、図９〜１６に示すように折り畳み式買物カートの使用方法を説明する。折り畳み式買物カートは通常、買い物客が折り畳まれた状態で取手１０を持って移動する(図９参照)。そして、スーパーマーケット等の店内に入った時、折り畳み式買物カートを展開して(図１０参照)店内に備え付けられている買物カゴ７０を折り畳み式買物カートの主支持棚６の上面に形成されている面板２１の上面に置いて買い物をする(図１１参照)。
【００４１】
買い物が終わると折り畳み式買物カートをレジに移動させる。そして、面板２１を介して買物カゴ７０を回動させてレジ台の上に移乗させる(図１２参照)。レジで精算をする前に折り畳み式買物カートをレジ台の後方に移動させて(図１３参照)、面板２１の上面に折り畳み式収納籠５０を展開する(図１４参照)。そして、買い物をした荷物は、折り畳み式収納籠５０に収納される。
【００４２】
レジで精算を終えると折り畳み式収納籠５０は、面板２１を介して回動させて折り畳み式買物カートの主支持棚６の上面に移乗させる(図１５参照)。そして、買い物客は折り畳み式買物カートを店外に移動させる。また、買い物客は折り畳み式収納籠５０のフック５４を持って、折り畳み式買物カートから分離して持ち出すこともできる(図１６参照)。
【００４３】
以上説明したように、本発明の実施形態に係る折り畳み式買物カートは、買い物客が買物カゴを持ち上げて移乗する必要がないだけでなく、大きな負担をかけることなく買物カゴを移乗することができる。
【００４４】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【符号の説明】
【００４５】
１  主支持脚
２  副支持脚
３  支柱材
４  主支持枠
５  主支柱部材
６  主支持棚
７  副支持枠
８  副支柱部材
９  副支持棚
１０  取手
１１  車輪
２１  面板
２２  摺動部材
３１  シャフト
３２  ブッシュ
４１  案内部材
４２  案内部
５０  折り畳み式収納籠
５１  下ブラケット
５２  上ブラケット
５３  リンク
５４  フック
５５  カバー
５６  下連結棒
５７  上連結棒
５８  中連結棒
７０  買物カゴ
【要約】      （修正有）【課題】買い物客が買物カゴを持ち上げて移乗する必要がないだけでなく、大きな負担をかけることなく買物カゴを移乗することができる折り畳み式買物カートを提供する。【解決手段】下端部に車輪１１を有する主支持脚１と、一端部が主支持脚１の中央より上寄部に固定されている支柱材３と、下端部に車輪１１を有し上端部が支柱材３の他端部に回動機構部が形成されている副支持脚２と、回動機構部が形成されている主支持枠４と主支柱部材５と、主支持枠４に固定されている主支持棚６と、回動機構部が形成されている副支持枠７と副支柱部材８と、副支持枠７に固定されている副支持棚９と、主支持脚１の上端部に固定されている取手１０と、を備える副支持脚２を主支持脚１方向にも寄せられて一体と成しえられる折り畳み式買物カートであって、主支持棚６の上面に形成されている面板２１は上面に対して摺動部材が形成されている。【選択図】図１【図１】
0005201700.tif 000002
【図２】
0005201700.tif 000003
【図３】
0005201700.tif 000004
【図４】
0005201700.tif 000005
【図５】
0005201700.tif 000006
【図６】
0005201700.tif 000007
【図７】
0005201700.tif 000008
【図８】
0005201700.tif 000009
【図９】
0005201700.tif 000010
【図１０】
0005201700.tif 000011
【図１１】
0005201700.tif 000012
【図１２】
0005201700.tif 000013
【図１３】
0005201700.tif 000014
【図１４】
0005201700.tif 000015
【図１５】
0005201700.tif 000016
【図１６】
0005201700.tif 000017